(57)【特許請求の範囲】
【請求項１】
廃液を貯留するボトル容器と、
前記ボトル容器の上部開口部に設けられたキャップと、
前記キャップに着脱自在に装着される、廃液受入管及び吸気管が設けられた蓋体と、
前記キャップに設けられた、前記廃液受入管とボトル容器内とを連通させる第１の連通部と、
前記キャップに設けられた、前記吸気管とボトル容器内とを連通させる第２の連通部と、
を備え、
前記キャップに蓋体が装着された際、第１の連通部を介して廃液受入管とボトル容器内とが連通し、かつ第２の連通部を介して前記吸気管とボトル容器内とが連通する廃液回収器であって、
前記蓋体には、円筒状に形成された側壁と前記側壁の上端に形成された天井部とを有する蓋体本体部と、蓋体の中心方向に変形するつまみ部を有する操作部とが形成され、
前記つまみ部を操作者がつまんだ際、つまみ部が蓋体の中心方向に変形し、前記つまみ部の下端部がボトル容器の肩部に接し、前記肩部を競りあがることにより、前記蓋体がキャップから外されることを特徴とする廃液回収器。
【請求項２】
前記操作部は、
前記天井部から水平に延設された基部と、
前記基部の先端から第１の円弧状部を介して側壁方向に延設された折返し部と、
前記折返し部の先端から第２の円弧状部を介して下方向、かつ側壁から遠ざかる方向に延設されたつまみ部と、
を備えていることを特徴とする請求項１記載の廃液回収器。
【請求項３】
前記キャップは、前記ボトル容器の上部開口部に取り付けられる有底円筒状部と、前記有底円筒状部上端部から下方に延設された折返し部と、前記折返し部の下部外周面に形成された係止部とを備え、
前記蓋体は、側壁の開口部の端面から天井部に向けて、円筒状の側壁の軸線と平行に形成された複数の切込み部と、前記側壁の内周面下部に、周方向に形成された被係止部とを備え、
前記キャップは、有底円筒状部と折返し部との間にボトル容器の首部が挿入、係止されることにより、ボトル容器に取り付けられ、
前記蓋体は、前記蓋体の被係止部がキャップの折返し部に形成された係止部に係止されることにより、キャップに装着されることを特徴とする請求項１または請求項２記載の廃液回収器。
【請求項４】
前記キャップは、前記ボトル容器の上部開口部に取り付けられる有底円筒状部と、有底円筒状部の底面から上方に延設され、蓋体の廃液受入管に接続される接続管と、前記有底円筒状部の底面に形成された貫通穴と、を備え
前記接続管が廃液受入管に接続されることにより、前記廃液受入管とボトル容器内とが連通し、前記キャップの有底円筒状部の内部空間を蓋体が密閉し、前記吸気管が有底円筒状部の内部空間を臨むことにより、前記吸気管とボトル容器内とが連通することを特徴とする請求項１乃至請求項３のいずれかに記載の廃液回収器。
【請求項５】
前記蓋体の天井部の下面に形成されたリング状突起部と、前記リング状突起部内の空間に収容された、円板状のスリット入りパッキンとを備え、
蓋体をキャップに装着した際、キャップの接続管が、前記スリット入りパッキンのスリットを貫通して、廃液受入管に接続され、
前記接続管は有底円筒状部の底面から下方に延設され、かつ有底円筒状部の底面の外側面には貫通穴を囲うように、フィルタを収容するフィルタ保持筒が形成され、
更に、廃液受入管からボトル容器内への流れと、ボトル容器内から吸気管への流れとを分離する分離部材を備え、
前記分離部材に形成された取付け筒と、前記下方に延設された接続管とを嵌合させることによって、前記分離部材がキャップの下部に取り付けられ、
前記蓋体の上下動を案内するレールと、前記レールの下端部に設けられた、ボトル容器を収容するホルダとを備え、
前記ホルダにボトル容器を収容した状態で前記蓋体がレールに案内されながら摺動し、キャップと蓋体との着脱がなされることを特徴とする請求項１乃至請求項４のいずれかに記載の廃液回収器。
【発明の詳細な説明】
【技術分野】
【０００１】
本発明は廃液回収器に関するものであり、例えば、患者等から採取された痰等の廃液を回収する廃液回収器に関するものである。
【背景技術】
【０００２】
患者等から採取された各種体液をはじめ、体液等を含んだ洗浄水や薬液、排尿その他、一般の下水へは捨てることのできない液状乃至ゲル状物質（以下、「廃液」と言う）を吸引、回収し、各種検査や廃棄するために用いられる廃液回収器が、特許文献１に開示されている。
【０００３】
この特許文献１に示された廃液回収器について、図１１に基づいて説明する。
この廃液回収器１００は、廃液を貯留する廃液溜め器１０１と、前記廃液溜め器１０１の上部開口部を閉塞する蓋体１０２と、前記蓋体１０２の上部に配置され、凝固剤を前記溜め器１０１に投入するための凝固剤貯蔵部１０３と、前記凝固剤貯蔵部１０３の上部開口部を閉塞するカバー体１０４とを備えている。
【０００４】
前記蓋体１０２には爪部１０２ａが形成され、前記爪部１０２ａが廃液溜め器１０１の外周囲に設けられた被係止部１０１ａの貫通穴１０１ｂを挿通し、前記被係止部１０１ａの下端面に係止することにより、蓋体１０２が前記廃液溜め器１０１の上部開口部を閉塞するように構成されている。
また、前記蓋体１０２の天井板部１０２ｂには２本の吸気管１０２ｃ、廃液受入管１０２ｄが設けられている。即ち、患者の痰等の吸引を行う際には、吸気管１０２ｃによって廃液溜め器１０１内を減圧し、吸引ノズル（図示せず）を患部に当て、廃液受入管１０２ｄを介して、廃液を吸引し、廃液溜め器１０１内に貯留する。
【０００５】
また、前記天井板部１０２ｂの中央部には貫通口１０２ｅが形成されている。前記蓋体１０２の上部には凝固剤を収容するための凝固剤貯蔵部１０３が取り付けられ、前記凝固剤貯蔵部１０３から前記貫通口１０２ｅを介して、凝固剤が廃液溜め器１０１内に投入されるように構成されている。
また、前記カバー体１０４の下部には操作管１０４ａが設けられ、操作杆１０４ａの下端部には、貫通口（散布口）１０２ｅを閉塞可能とする円錐状の中栓１０４ｂが設けられている。
この操作杆１０４ａを押し下げることにより、前記中栓１０４ｂが貫通口（散布口）１０２ｅから下方に移動し、前記貫通口（散布口）１０２ｅは閉塞状態から開放状態になり、凝固剤貯蔵部１０３内に貯蔵された凝固剤が廃液溜め器１０１内に落下する。
【０００６】
このように構成された従来の廃液処理器にあっては、例えば患者の痰等の廃液の吸引を行う際には、吸気管１０２ｃによって廃液溜め器１０１内を減圧する。そして、吸引ノズルを患部に当て廃液受入管１０２ｄを介して、痰等を吸引し、廃液溜め器１０１内に貯留する。
そして、前記廃液溜め器１０１内に痰等の廃液が一定量貯留した場合には、粉末状又は顆粒状の高分子吸収体等の凝固剤を、前記廃液溜め器１０１内に散布し、廃液中の水分を吸収して凝固させる。
その後、廃液溜め器１０１から蓋体１０２を取り外し、廃液溜め器１０１内部の凝固した廃液を焼却処理する。
【先行技術文献】
【特許文献】
【０００７】
【特許文献１】特開平７−３０３８７５公報
【発明の概要】
【発明が解決しようとする課題】
【０００８】
ところで、前記廃液回収器にあっては、廃液溜め器、蓋体、凝固剤貯蔵部、カバー体は、繰り返し使用されるため、廃液溜め器から蓋体を取り外し、廃液溜め器内部の廃液を破棄しなければならなかった。
このとき、前記廃液溜め器と蓋体は爪部と被係止部材によって係止されているため、廃液溜め器から蓋体を取り外すために、爪部と被係止部材の係止を解除する作業が必要であり、しかもこの爪部と被係止部材の係止解除は片手で行うことができず、取り外しが困難であるという技術的課題があった。
【０００９】
また、廃液溜め器から蓋体を取り外す作業中に、廃液溜め器を倒し、内部に貯留されていた廃液をこぼす虞があった。特に、廃液には細菌等が含まれる場合もあり、衛生上好ましいものではなかった。即ち、廃液溜め器から蓋体を取り外す作業を、安定的、衛生的に行うことができないという技術的課題があった。
【００１０】
本発明者らは、上記技術的課題を解決するために、種々鋭意研究した結果、廃液溜め器をボトル容器とすることで、廃液が貯留されたボトル容器ごと廃棄する（ボトル容器を使い捨てにする）ことによって、衛生的に廃液回収作業を行うことができ、またボトル容器の開口部に、吸気管と廃液受入管が設けられたキャップを取り付けることで、ボトル容器を倒した際にも、廃液の放出を抑制でき、更には、キャップと蓋体を特定の構成を採用することにより、容易な操作で、キャップから蓋体を取り外すことができることを知見し、本発明を完成した。
【００１１】
本発明の目的は、ボトル容器からの蓋体の取り外し作業を容易に行うことができ、安定的、衛生的に廃液回収作業を行うことができる廃液回収器を提供することを目的とする。
【課題を解決するための手段】
【００１２】
上記目的を達成するためになされた本発明にかかる廃液回収器は、廃液を貯留するボトル容器と、前記ボトル容器の上部開口部に設けられたキャップと、前記キャップに着脱自在に装着される、廃液受入管及び吸気管が設けられた蓋体と、前記キャップに設けられた、前記廃液受入管とボトル容器内とを連通させる第１の連通部と、前記キャップに設けられた、前記吸気管とボトル容器内とを連通させる第２の連通部と、を備え、前記キャップに蓋体が装着された際、第１の連通部を介して廃液受入管とボトル容器内とが連通し、かつ第２の連通部を介して前記吸気管とボトル容器内とが連通する廃液回収器であって、前記蓋体には、円筒状に形成された側壁と前記側壁の上端に形成された天井部とを有する蓋体本体部と、蓋体の中心方向に変形するつまみ部を有する操作部とが形成され、前記つまみ部を操作者がつまんだ際、つまみ部が蓋体の中心方向に変形し、前記つまみ部の下端部がボトル容器の肩部に接し、前記肩部を競りあがることにより、前記蓋体がキャップから外されることを特徴としている。
【００１３】
このように、前記ボトル容器にキャップを設け、更に、廃液受入管及び吸気管が設けられた蓋体がキャップに着脱自在に構成されているため、ボトル容器を倒した際にも、一度にボトル容器内の貯留廃液がこぼれることがなく、貯留廃液の放出を抑制することができ、衛生的に廃液回収作業を行うことができる。
また、蓋体には、蓋体の中心方向に変形するつまみ部を有する操作部が形成され、前記つまみ部を操作者がつまんだ際、つまみ部が蓋体の中心方向に変形し、前記つまみ部の下端部がボトル容器の肩部に接し、前記肩部を競りあがることにより、前記蓋体がキャップから外されるように構成されているため、容易な操作で、キャップから蓋体を取り外すことができる。
尚、前記ボトル容器を合成樹脂製で形成し、いわゆる使い捨てになすことにより、より衛生的に廃液回収作業を行うことができる。
【００１４】
ここで、前記操作部は、前記天井部から水平に延設された基部と、前記基部の先端から第１の円弧状部を介して側壁方向に延設された折返し部と、前記折返し部の先端から第２の円弧状部を介して下方向、かつ側壁から遠ざかる方向に延設されたつまみ部と、を備えていることが望ましい。
このように操作部が形成されているため、つまみ部は蓋体の中心方向に変形し易く、例えば、操作者の親指と人差し指で操作することができる。その結果、操作者の小さな力で、キャップから蓋体を取り外すことができる。
【００１５】
また、前記キャップは、前記ボトル容器の上部開口部に取り付けられる有底円筒状部と、前記有底円筒状部上端部から下方に延設された折返し部と、前記折返し部の下部外周面に形成された係止部とを備え、前記蓋体は、側壁の開口部の端面から天井部に向けて、円筒状の側壁の軸線と平行に形成された複数の切込み部と、前記側壁の内周面下部に、周方向に形成された被係止部とを備え、前記キャップは、有底円筒状部と折返し部との間にボトル容器の首部が挿入、係止されることにより、ボトル容器に取り付けられ、前記蓋体は、前記蓋体の被係止部がキャップの折返し部に形成された係止部に係止されることにより、キャップに装着されることが望ましい。
【００１６】
このように、蓋体に複数の切込み部と被係止部が設けられているため、蓋体は径方向に開拡しながら、蓋体の内部空間（側壁内部空間）内にキャップが進入し、蓋体の被係止部がキャップの折返し部に形成された係止部に係止されることにより、蓋体がキャップに装着される。したがって、蓋体がキャップから脱落することなく、確実に装着される。
尚、前記被係止部と係止部としては、突起と突起の組み合わせ、あるいは突起と凹部の組み合わせて用いることができる。
【００１７】
更に、前記キャップは、前記ボトル容器の上部開口部に取り付けられる有底円筒状部と、有底円筒状部の底面から上方に延設され、蓋体の廃液受入管に接続される接続管と、前記有底円筒状部の底面に形成された貫通穴と、を備え、前記接続管が廃液受入管に接続されることにより、前記廃液受入管とボトル容器内とが連通し、前記キャップの有底円筒状部の内部空間を蓋体が密閉し、前記吸気管が有底円筒状部の内部空間を臨むことにより、前記吸気管とボトル容器内とが連通することを特徴とすることが望ましい。
尚、前記接続管は、前記廃液受入管とボトル容器内とを連通させる前記第１の連通部であり、前記キャップの有底円筒状部の内部空間及び前記貫通穴は、前記第２の連通部である。
【００１８】
また、前記蓋体の天井部の下面に形成されたリング状突起部と、前記リング状突起部内の空間に収容された、円板状のスリット入りパッキンとを備え、蓋体をキャップに装着した際、キャップの接続管が、前記スリット入りパッキンのスリットを貫通して、廃液受入管に接続されることが望ましい。
このように、キャップの接続管が、スリット入りパッキンのスリットを貫通して廃液受入管に接続されるため、蓋体がキャップから取り外された際前記接続管が引き抜かれることにより、前記スリット入りパッキンのスリットが閉じる。
その結果、廃液受入管に残存する廃液の放出（落下）を、前記スリット入りパッキンによって阻止、抑制することができる。
【００１９】
また、前記接続管は有底円筒状部の底面から下方に延設され、かつ有底円筒状部の底面の外側面には貫通穴を囲うように、フィルタを収容するフィルタ保持筒が形成され、更に、廃液受入管からボトル容器内への流れと、ボトル容器内から吸気管への流れとを分離する分離部材を備え、前記分離部材に形成された取付け筒と、前記下方に延設された接続管とを嵌合させることによって、前記分離部材がキャップの下部に取り付けられることが望ましい。
【００２０】
このように、廃液受入管からボトル容器内への流れと、ボトル容器内から吸気管への流れとを分離する分離部材を備えているため、廃液受入管から吸気管への直接流入する流れを阻止、抑制することができる。また、前記分離部材に形成された取付け筒と、前記下方に延設された接続管とを嵌合させることによって、前記分離部材をキャップの下部に容易に取り付けることができる。
【００２１】
また、前記蓋体の上下動を案内するレールと、前記レールの下端部に設けられた、ボトル容器を収容するホルダとを備え、前記ホルダにボトル容器を収容した状態で前記蓋体がレールに案内されながら摺動し、キャップと蓋体との着脱がなされることが望ましい。
このように、レールとホルダとを用いてキャップと蓋体との着脱をなす場合には、ボトル容器を倒す等の事故を抑制することができ、しかも蓋体をキャップに対して上下方向にレールに案内されながら移動させることができるため、より円滑な着脱動作を行うことができる。
【発明の効果】
【００２２】
本発明によれば、ボトル容器からの蓋体の取り外し作業を容易に行うことができ、安定的、衛生的に廃液回収作業を行うことができる廃液回収器を得ることができる。
【図面の簡単な説明】
【００２３】
【図１】図１は、本発明の一実施形態にかかる廃液回収器における、蓋体の装着状態を示す斜視図である。
【図２】図２は、図１に示す状態の断面図である。
【図３】図３は、図２の断面図と９０度異なる方向の断面図である。
【図４】図４は、本発明の一実施形態の廃液回収器の分解斜視図である。
【図５】図５は、蓋体の装着状態を示す要部拡大図である。
【図６】図５は、蓋体を示す図であって、（ａ）は斜視図、（ｂ）は（ａ）と異なる方向からの斜視図、（ｃ）は断面図である。
【図７】図７は、本発明の一実施形態にかかる廃液回収器の使用方法を説明する斜視図であって、ボトル容器をホルダに収容した状態を示す図である。
【図８】図８は、本発明の一実施形態にかかる廃液回収器の使用方法を説明する斜視図であって、蓋体をキャップの装着した状態を示す図である。
【図９】図９は、キャップから蓋体を取り外す動作を説明するための断面図であって、（ａ）はつまみ部をつまんだ状態を示す断面図、（ｂ）は蓋体を更に上昇させ、接続管がスリット入りパッキンから引き抜かれた状態を示す断面図、（ｃ）は蓋体がキャップから取り外された状態を示す断面図である。
【図１０】図１０は、蓋体がキャップから取り外され、廃液回収器に栓体を装着した状態を示す斜視図である。
【図１１】図１１は、従来の廃液回収器を示す分解斜視図である。
【発明を実施するための形態】
【００２４】
以下、本発明にかかる廃液回収器の一実施形態を図１乃至図１０に基づき説明する。まず、図１乃至図６に基づいて、一実施形態の構成について説明する。
図に示すように、一実施形態にかかる廃液回収器１は、廃液を貯留するボトル容器２と、前記ボトル容器２の上部開口部を閉塞するキャップ３と、前記キャップ３に着脱自在に装着される廃液受入管４ａ及び吸気管４ｂが設けられた蓋体４と、前記ボトル容器２の下部を収容するホルダ５と、前記ホルダ５に下端が保持され、垂直に起立するレール６と、前記レール６に摺動自在に上下動可能に構成され、前記蓋体４が取り付けられるスライダ７とを備えている。
【００２５】
廃液を貯留するボトル容器２は、例えば、ＰＥＴのような合成樹脂で形成されている。
このボトル容器２は、図４に示すように、上部に上方に延びる円筒状の首部２ａが形成され、首部２ａの上端部に開口部２ｂが形成されている。また前記円筒状の首部２ａの外周面には、周方向に延設された突起部２ｃが形成されている。また、前記ボトル容器２は、円筒状の胴体部２ｅの上部から肩部２ｄが形成され、更に前記首部２ａが形成されている。
【００２６】
前記キャップ３について、図５に基づいて説明すると、有底円筒状部３ａと、前記有底円筒状部３ａの上端部から下方に延設された折返し部３ｂが形成されている。この折返し部３ｂの下部外周面には、蓋体４と係合する突起３ｂ１が形成されている。更に、この折返し部３ｂの下部内周面には、ボトル容器２の突起と係合する爪部３ｂ２が形成されている。
また、前記有底円筒状部３ａには接続管３ｃが形成され、前記接続管３ｃの一端は有底円筒状部３ａの底面から上方に延設され、蓋体４の廃液受入管４ａに接続される。また、前記接続管３ｃの他端は有底円筒状部３ａの底面から下方に延設され、後に述べる分離部材８の取付け筒８ａに接続される。
【００２７】
また、前記有底円筒状部３ａの底面には貫通穴３ｄが形成され、有底円筒状部３ａの底面の外側面には貫通穴３ｄを囲うように、フィルタ９を収容するフィルタ保持筒３ｅが形成されている。このフィルタ９は、フェルト、スポンジ、焼結体等のから構成されている。
【００２８】
前記キャップ３は、図３、図４に示すように、接続管３ｃを閉塞する栓体３ｆが設けられている。この栓体３ｆは、連結部材３ｇによって折返し部３ｂに取り付けられている。この栓体３ｆは、接続管３ｃから使用時に取り外し、接続管３ｃを開放すると共に、未使用時、廃棄時には接続管３ｃに取り付けられ、接続管３ｃを閉塞する。
【００２９】
前記分離部材８は、接続管３ｃから流入する廃液、空気と、ボトル容器２内を減圧するために導出する空気とを分離するものである。この分離部材８は、図４に示すようにＵ字状に形成され、その中間部分には仕切り部８ｂが形成され、左右を分離するように形成されている。この仕切り部８ｂの接続管３ｃから廃液が流入する側には、前記接続管３ｃと嵌合する取付け筒８ａが設けられている。
この前記分離部材８は、図５に示すように、前記取付け筒８ａと接続管３ｃとが嵌合、連結されることにより、前記キャップ３の下部に取り付けられる。
【００３０】
このように構成されたキャップ３、分離部材８は、まず前記フィルタ９をフィルタ保持筒３ｅ内に収容し、続いて分離部材８の取付け筒８ａを、キャップ３の底面外面から突出した接続管３ｃに嵌合させ、一体化させる。
その後、キャップ３の有底円筒状部３ａを前記ボトル容器２の開口部２ｂ内に入れ込むことにより、キャップ３をボトル容器２に装着する。このとき、前記ボトル容器２の首部２ａが有底円筒状部３ａと折返し部３ｂとの間に挿入されるが、図５に示すように、突起２ｃに折返し部３ｂに形成された爪部３ｂ２に係止されることにより、キャップ３はボトル容器２に固定される。
その結果、ボトル容器２からキャップ３が外れることがなく、例えば、ボトル容器２が倒れた場合にも、キャップ３がボトル容器２から外れ、ボトル容器２内の廃液が一度にこぼれ出るのを防止することができる。
【００３１】
尚、首部２ａを有底円筒状部３ａと折返し部３ｂとの間に挿入する際、首部２ａの内周面と有底円筒状部３ａの外周面との間からの廃液の漏れを防止するため、折返し部３ｂと首部の上面との間にリング状のパッキン１０が装着される。
【００３２】
また、蓋体４の構成について、図５、図６に基づいて詳しく説明する。
蓋体４は、蓋体本体部４Ａと、キャップ３に対して蓋体４を取り外す際、操作者がつかむ操作部４Ｂと、スライダ７に取り付けるためのスライダ取付け部４Ｃとを備えている。
前記蓋体本体部４Ａは、円筒状に形成された側壁４Ａ１と、側壁４Ａ１の上端に形成された天井部４Ａ２とを備えている。
【００３３】
前記円筒状に形成された側壁４Ａ１には、開口部の端面から天井部４Ａ２に向けて、円筒状の側壁４Ａ１の軸線と平行な切込み部４Ａ３が形成されている。この切込み部４Ａ３は、前記側壁４Ａ１の周方向に複数個形成され、側壁４Ａ１が径方向に拡がり易くなされている。
また、前記円筒状に形成された側壁４Ａ１の内周面下部には、凹部４Ａ４が形成されている。前記凹部４Ａ４は、蓋体４をキャップ３に装着した際、キャップ３の突起３ｂ１に嵌合し、係止されるように形成されている。
【００３４】
また、前記天井部４Ａ２の外面（上面）には、中心部に廃液受入管４ａが形成されている。この廃液受入管４ａは、円筒状に形成された側壁４Ａ１の内周面の空間（内部空間）に連通している。また、前記天井部４Ａ２の外面（上面）には、外周部に吸気管４ｂが形成されている。この吸気管４ｂは、円筒状に形成された側壁４Ａ１の内周面の空間（内部空間）に連通している
【００３５】
一方、前記天井部４Ａ２の内面（下面）には、同心円状に下方に突出したリング状突起部４Ａ５、４Ａ６が形成されている。尚、前記廃液受入管４ａはリング状突起部４Ａ５で囲まれた空間に連通し、前記吸気管４ｂはリング状突起部４Ａ５とリング状突起部４Ａ６とで囲まれた空間に連通している。
また、リング状突起部４Ａ５内の空間には、円板状のスリット入りパッキン１１が収容される。このスリット入りパッキン１１には、図４、図５に示すように直線状の切り込みであるスリット１１ａが形成されているため、蓋体４をキャップ３に装着した際、キャップ３の接続管３ｃがスリット１１ａを貫通するように形成されている。
また、前記リング状突起部４Ａ６の外周囲には、リング状のパッキン１２が装着される。このパッキン１２には、図４、図５に示すように、蓋体４をキャップ３に装着した際、キャップ３の有底円筒状部３ａ内部からの漏れを防止するものである。
【００３６】
また、前記天井部４Ａ２には、図６に示すように、前記スライダ取付け部４Ｃを中心として対称に、一対の操作部４Ｂが形成されている。尚、一対の操作部４Ｂは、必ずしも天井部４Ａ２に形成することはなく、円筒状に形成された側壁４Ａ１の外周面に形成しても良い。
この操作部４Ｂは、前記天井部４Ａ２から水平に延設された基部４Ｂ１と、前記基部４Ｂ１の先端から第１の円弧状部４Ｂ２を介して側壁４Ａ１方向に延設された折返し部４Ｂ３と、前記折返し部４Ｂ３の先端から第２の円弧状部４Ｂ４を介して下方向、かつ側壁４Ａ１から遠ざかる方向に延設されたつまみ部４Ｂ５と、を備えている。
この操作部４Ｂは板状に形成され、図６（ｃ）に矢印Ｘで示すように、操作者が、例えば親指、人差し指で、一対のつまみ部４Ｂ５をつまんだ際、矢印Ｙのように変形するように構成されている。
【００３７】
また、前記つまみ部４Ｂ５の下端部４Ｂ６は円弧状に形成され、蓋体４をキャップ３に装着した際、前記円弧状の下端部がボトル容器２の肩部２ｄに接するように構成されている。
【００３８】
また、スライダ取付け部４Ｃは断面形状がコ状に形成され、スライダ７の被取付け部７ａが嵌合するように形成されている。即ち、断面形状が矩形形状の被取付け部７ａがスライダ取付け部４Ｃに嵌合することによって、前記蓋体４はスライダ７に取り付けられる。
このスライダ７は、図４に示すように、前記した被取付け部７ａと、レール取付け部７ｂとを備えている。前記被取付け部７ａとレール取付け部７ｂは直交しているため、被取付け部７ａは、水平状態を維持しつつ上下動する。即ち、蓋体４はレールに案内されながら、水平状態を維持しつつ、上下動する。
【００３９】
次に、図５、図７乃至図１０に基づいて、廃液回収器１の動作、作用について説明する。
図７に示すように、キャップ３が装着されたボトル容器２を、ホルダ５に収容し、栓体３ｆを取り外す。一方、吸気管４ｂを、チューブ２１を介して減圧設備に接続する。例えば、病院内に設けられた減圧設備を利用する場合には、病院内に設けられたレギュレータ２０に接続する。また、廃液受入管４ａを、先端に吸引ノズル（図示せず）が取り付けられたチューブ２２に接続する。
【００４０】
その後、図８に示すように蓋体４を下降させ、蓋体４をキャップ３に嵌合させる。
蓋体４がキャップ３に嵌合した状態にあっては、図５に示すように、前記円筒状に形成された側壁４Ａ１は、前記切込み部４Ａ３によって径方向に拡がり、キャップ３の折返し部３ｂの突起３ｂ１に凹部４Ａ４が係止される。
このとき、キャップ３の接続管３ｃはスリット入りパッキン１１を貫通し、蓋体４の廃液受入管４ａと接続される。また、操作部４Ｂのつまみ部４Ｂ５の下端部４Ｂ６は、ボトル容器２の肩部２２ｄと接する。
【００４１】
そして、吸気管３ｃから吸気すると、ボトル容器２内の空気は、フィルタ９を介して有底円筒状部３ａ内を経由して吸気管４ｂ、チューブ２１、レギュレータ２０を通り排出される。その結果、ボトル容器２内は減圧され、先端に吸引ノズルが取り付けられたチューブ２２、廃液受入管４ａ、接続管３ｃを介してボトル容器２内に流入する。廃液受入管４ａから流入した廃液はボトル容器２に貯留される。
このとき、分離部材８には、仕切部８ｂが形成されているため、廃液受入管４ａから流入した空気、廃液が、フィルタ９を介して直接排気されることはない。尚、図５に矢印で空気の流れを示す。
【００４２】
廃液受入管４ａから流入した廃液がボトル容器２内に所定量貯留されると、キャップ３から蓋体４を取り外し、ボトル容器２を廃棄する。
キャップ３から蓋体４を取り外すには、図９（ａ）の矢印Ｘで示すように、操作部４Ｂのつまみ部４Ｂ５を指先（例えば、親指と人差し指）でつまむ。前記つまみ部４Ｂ５をつまむことにより、つまみ部の下端部４Ｂ６は、矢印Ｙで示すように、ボトル容器２の肩部２ｄ上を上方に摺動する。
その結果、蓋体４は矢印Ｚで示すように、上方に移動し、キャップ３の折返し部３ｂの突起３ｂ１と凹部４Ａ４との係止状態が解除される。
【００４３】
そして、前記蓋体４が更に上方に移動すると、図９（ｂ）に示すように、接続管３ｃがスリット入りパッキン１１から抜かれる。
前記接続管３ｃがスリット入りパッキン１１を貫通している状態にあっては、前記蓋体４が移動する際、スリット入りパッキン１１によって摺動抵抗を受けるが、つまみ部の下端部４Ｂ６がボトル容器２の肩部２ｄ上を摺動するため、比較的容易に（小さな力で）接続管３ｃをスリット入りパッキン１１から引き抜くことができる。
【００４４】
また、接続管３ｃはスリット入りパッキン１１から抜かれた際、廃棄受入管４ａ内に残存している廃液は、下方に落下するが、前記スリット入りパッキン１１のスリット１１ａが閉塞されているために、残存廃液Ｌは、スリット入りパッキン１１により塞き止められ、下方への落下が阻止される。
【００４５】
図９（ｃ）に示すように、前記接続管３ｃがスリット入りパッキン１１から抜かれた後は、折返部４Ｂ３に指を掛け、前記蓋体４をレール６に沿って上昇させ、図１０に示すように、レール上端部まで移動させ、上端部に係止させる。
尚、レール６に対してスライダ７を一時的に係止させる手段としては、例えば、スライダ７の基部に凹部を形成し、レール側に突起を形成し、前記凹部に突起が係止されることにより、レール６の上端部にスライダ７を係止させも良い。
【００４６】
そして、図１０に示すように、接続管３ｃを栓体３ｆで塞ぎ、廃液が所定量貯留されたボトル容器２をホルダ５から取り出し、廃棄する。
その後、新規なボトル容器２をホルダ５に再び収容し、前記したように、前記蓋体４をレール６に沿って下降させ、キャップ３に蓋体４を嵌め、廃液の吸引状態になす。
【００４７】
このように、本発明にかかる廃液回収器にあっては、キャップ３に対して蓋体４を装着する際には、蓋体４をキャップ３の上方から下降させ、押し込む（嵌め込む）ことによって容易に装着することができる。
また、キャップ３に対して蓋体４を取り外すには、操作部４Ｂのつまみ部４Ｂ５を指先でつまむことによって、キャップ３から蓋体４を容易に取り外すことができる。
【００４８】
更に言えば、つまみ部４Ｂ５を親指と人差し指でつまむことによって、キャップ３から蓋体４を容易に取り外すことができるため、操作者は片手で取り外し操作を行うことができる。しかも、蓋体４を取り外した際、廃液受入管に残存する廃液の外部への漏れを抑制することができ、衛生的に作業を行うことができる。また、蓋体４はレール６によって案内されるため、ボトル容器２を安定した状態で（安定的な状態で）、取り外し作業を行うことができる。
【符号の説明】
【００４９】
１      廃液回収器
２      ボトル容器
２ａ    首部
２ｂ    開口部
２ｃ    突起
２ｄ    肩部
３      キャップ
３ａ    有底円筒状部
３ｂ    折返し部
３ｂ１  突起
３ｂ２  爪部
３ｃ    接続管
３ｄ    貫通穴
３ｅ    フィルタ保持筒
３ｆ    栓体
４      蓋体
４ａ    廃液受入管
４ｂ    吸気管
４Ａ    蓋体本体部
４Ａ１  側壁
４Ａ２  天井部
４Ａ３  切込み部
４Ａ４  凹部
４Ａ５  リング状突起部
４Ａ６  リング状突起部
４Ｂ    操作部
４Ｂ１  基部
４Ｂ２  第１の円弧状部
４Ｂ３  折返し部
４Ｂ４  第２の円弧状部
４Ｂ５  つまみ部
５      ホルダ
６      レール
７      スライダ
８      分離部材
８ａ    取付け筒
８ｂ    仕切り部
９      フィルタ
１０    （リング状の）パッキン
１１    スリット入りパッキン
１２    リング状パッキン
【図１】
0006378623.tif 000002
【図２】
0006378623.tif 000003
【図３】
0006378623.tif 000004
【図４】
0006378623.tif 000005
【図５】
0006378623.tif 000006
【図６】
0006378623.tif 000007
【図７】
0006378623.tif 000008
【図８】
0006378623.tif 000009
【図９】
0006378623.tif 000010
【図１０】
0006378623.tif 000011
【図１１】
0006378623.tif 000012